(57)【要約】  本発明は、液状製品、特にクリーム等の化粧用液状製品の、弾性的に圧縮可能なディスペンサに関する。この発明による液状製品の圧縮可能なディスペンサ（１００）は、弾性的に圧縮可能な本体（１０１）と、液体用出口（１１１）を有する上記液状製品を分注する部材（１１４）と、壁（１２１）を伴う蓋（１０２）と、上記蓋（１０２）を該本体（１０１）に着脱可能に取り付けることを確実にすることを目的とした装着手段（１１８）とを備えるタイプのものであって、該圧縮可能なディスペンサ（１００）において、上記分注デバイス（１１４）を覆うカバー（１０６）であって、その外周面が出口（１１１）と面一であるカバー（１０６）を備えることを特徴とし、蓋（１０２）の壁（１２１）及び本体（１０１）の壁（１０１ａ）は、その上縁部（１０４、１０５）で面一である外面（Ｓ１、Ｓ２）を有することを特徴とし、かつ、蓋（１０２）及び本体（１０１）は、互いに相補的に、連続して凸状の形状である部分となり、保護カバー（１０６）は、蓋（１０２）の壁の形状と一致する形状を有するが、少なくとも上記蓋（１０２）の壁（１２１）の厚さ（Ｅｐ）分だけ薄いことを特徴とする。【選択図】図１
2019507620.tif 000002
【特許請求の範囲】
【請求項１】
弾性的に圧縮可能な本体（１０１）と、液体用出口（１１１）を有する液状製品の分注デバイス（１１４）と、壁（１２１）を伴う蓋（１０２）と、前記蓋（１０２）を該本体（１０１）に着脱可能に取り付けることを目的とした装着手段（１１８）とを備えるタイプの、弾性的に圧縮可能な液状製品のディスペンサ（１００）において、該弾性的に圧縮可能なディスペンサは、前記分注デバイス（１１４）を覆うカバー（１０６）であって、その外周面が出口（１１１）と面一であるカバー（１０６）を備えることを特徴とし、前記蓋（１０２）の前記壁（１２１）及び前記本体（１０１）の壁（１０１ａ）は、その上縁部（１０４、１０５）で面一である外面（Ｓ１、Ｓ２）を有することを特徴とし、かつ、前記蓋（１０２）及び前記本体（１０１）は、互いに相補的に、連続して凸状の形状である部分となり、保護カバー（１０６）は、前記蓋（１０２）の前記壁の形状と一致する形状を有するが、少なくとも前記蓋（１０２）の前記壁（１２１）の厚さ（Ｅｐ）分だけ薄いことを特徴とする、ディスペンサ（１００）。
【請求項２】
前記ディスペンサは、前記弾性的に圧縮可能な本体（１０１）の内側に配置されて前記液状製品（Ｐ）を包含するフレキシブルなパウチ（１１３）を備え、該フレキシブルなパウチ（１１３）の内部と前記液状製品（Ｐ）の前記出口（１１１）とが直接連通していることを特徴とする、請求項１記載のディスペンサ（１００）。
【請求項３】
前記装着手段（１１８）は、前記カバー（１０６）が、前記蓋（１０２）の前記壁（１２１）の内周面上に設けた起伏モチーフに対して相補的な凹状モチーフを、該カバーの外周面上に有するようにしたものであることを特徴とする、請求項１又は２のいずれか一項に記載のディスペンサ（１００）。
【請求項４】
前記蓋（１０２）を前記弾性的に圧縮可能な本体（１０１）に取り付けているときに、前記蓋（１０２）の上縁部（１０４）と前記弾性的に圧縮可能な本体（１０１）の上縁部（１０５）とが、互いに接触するものであることを特徴とする、請求項１から３のいずれか一項に記載のディスペンサ（１００）。
【請求項５】
前記分注デバイス（１１４）は、プランジャーチューブの形態であり、その一端が、前記フレキシブルなパウチ（１１３）の底部の方に延び、その他端が、前記出口（１１１）を形成するスリット（１２４）を設けたノズル（１２３）を備えることを特徴とする、請求項１から４のいずれか一項に記載のディスペンサ（１００）。
【請求項６】
前記弾性的に圧縮可能な本体（１０１）は、前記弾性的に圧縮可能な本体（１０１）と前記フレキシブルなパウチ（１１３）との間の空間（Ｅ）に通じる１つ又は複数の開口（１２５）が貫通して配置されているスロート部（１０７）を有し、該開口（１２５）又は各開口（１２５）には、使用者が人手により前記弾性的に圧縮可能な本体（１０１）に圧力を加えるときに、前記空間（Ｅ）に含まれる空気の脱出を防止するシャッターとして機能するワッシャーが設けられていることを特徴とする、請求項１から５のいずれか一[1]項に記載のディスペンサ（１００）。
【請求項７】
前記ディスペンサは、楕円体形、卵形、扁平な楕円体形、又は、扁平な卵形を有することを特徴とする、請求項１から６のいずれか一項に記載のディスペンサ（１００）。
【発明の詳細な説明】
【技術分野】
【０００１】
本発明は、液状製品、特にクリーム等の化粧用液状製品の、弾性的に圧縮可能なディスペンサに関する。
【背景技術】
【０００２】
圧縮可能なタイプのディスペンサは、典型的に、人手によりその壁に対して圧力を加える動作によって液状製品を吐出するのに好適なものである。該圧縮可能なディスペンサは、分注中に、中身の液状製品が空気と接触しないタイプのものであり得、それは製品の安定性と保存性の確保に役立つものである。
【０００３】
このタイプのディスペンサは、日常的な使用を意図し、時には１日に複数回の使用を意図している。前記ディスペンサは、しばしば、使用者が例えばポケットや鞄に入れて持ち運ぶものである。こうした状況においては、不意の漏出を防止するべきである。したがって、蓋などの保護手段を設ける必要がある。しかしながら、設けられるこのタイプの保護手段が、美的な魅力を損なわせる又は製品を使用しにくくするものであってはならない。したがって、一方では、わずかな圧力では本体から外れることのない蓋が不可欠であり、他方では、前記蓋を人手で取り外すために過剰な力を要したり過剰な拘束を有したりする手段で取り付けることのない蓋が不可欠である。
【０００４】
さらに、圧縮可能なディスペンサは、取り扱いが容易であるべきであって、嵩張るものであってはならない。前記圧縮可能なディスペンサは、片手で把握し、同じ手で圧縮可能である必要がある。また、化粧品分野で期待される美的特性を保ったまま、可能な限り最良の機能を有するべきである。
【発明の概要】
【０００５】
したがってこの発明は、弾性的に圧縮可能である、液状製品のディスペンサであって、弾性的に圧縮可能な本体と、液体用出口を有する前記液状製品の分注デバイスと、壁を伴う蓋と、前記蓋を該本体に着脱可能に取り付けることを目的とした装着手段とを備えるタイプのディスペンサに関する。この発明によれば、該ディスペンサにおいて、分注デバイスを覆うカバーであって、その外周面が出口と面一であるカバーを備えることを特徴とし、蓋の壁及び本体の壁は、その上縁部で面一である外面を有することを特徴とし、かつ、蓋及び本体は、互いに相補的に、連続して凸状の形状である部分となり、保護カバーは、蓋の壁の形状と一致する形状を有するが、少なくとも前記蓋の壁の厚さ分だけ薄いことを特徴とする。
【０００６】
この発明による圧縮可能なディスペンサの特徴により、縁又は突出する部分のない形状及び外観を与え、それによって前記圧縮可能なディスペンサを、片手で把握し、蓋を取り付けていても取り外していてもいずれでも容易に取り扱うことを可能にさせる。それによって、把握が改善され、掌を模った連続して凸状の形状が把握をより確実にする。さらに、手の窪み内でのディスペンサの移動を妨げる縁が存在しない。掌に対するディスペンサの摩擦面が、その回転を許容するため、前記ディスペンサを使用し易くさせ、特に弾性的に圧縮可能な本体の圧縮をし易くさせる。
【０００７】
カバーは、分注デバイスの保護と、蓋を取り付けた状態のディスペンサの形状の維持との両方に役立つ。カバーは蓋の縮小形、すなわち相似形（homothety）であるため、前記蓋を取り外したときに、ディスペンサは、蓋を取り付けている際のその連続して凸状である形状を想起させる形状を有する。
【０００８】
有利に、この発明によるディスペンサは、前記弾性的に圧縮可能な本体の内側に配置されて液状製品を包含するフレキシブルなパウチを備え、該フレキシブルなパウチの内部と液体用出口とが直接連通している。
【０００９】
また有利に、装着手段は、カバーが、蓋の壁の内周面上に設けた起伏モチーフに対して相補的である凹状モチーフを、外周面上に有するようになされている。
【００１０】
好ましくは、前記蓋を前記本体に取り付けているときに、前記蓋の上縁部と前記弾性的に圧縮可能な本体の上縁部とが、互いに接触するものである。
【００１１】
有利に、分注デバイスは、プランジャーチューブの形態であり、その一端が、フレキシブルなパウチの底部の方に延び、その他端が、出口を形成するスリットを設けたノズルを備えている。
【００１２】
また有利に、弾性的に圧縮可能な本体は、弾性的に圧縮可能な本体とフレキシブルなパウチとの間の空間に通じる１つ又は複数の開口が貫通して配置されているスロート部を有し、該開口又は各開口には、使用者が人手により前記本体に圧力を加えるときに、前記空間に含まれる空気の脱出を防止するシャッターとして機能するワッシャーが設けられている。
【００１３】
また有利に、この発明によるディスペンサは、楕円体形、卵形、扁平な楕円体形、又は、扁平な卵形を有する。
【図面の簡単な説明】
【００１４】
上記したこの発明の特徴及びその他の特徴は、以下の実施形態の説明を一読することでより明確に明らかになることとなり、該説明は、以下の添付の図面に関連して与えられる。
【図１】図１は、この発明の第一の実施形態に係る圧縮可能なディスペンサの断面図である。
【図２】図２は、この発明の第一の実施形態に係る圧縮可能なディスペンサの斜視図である。
【図３】図３は、この発明の第一の実施形態に係る圧縮可能なディスペンサの斜視図である。
【図４】図４は、この発明の第一の実施形態に係る、蓋を取り外した状態の圧縮可能なディスペンサの上面図である。
【図５】図５は、この発明の第二の実施形態に係る圧縮可能なディスペンサの斜視図である。
【図６】図６は、この発明の第三の実施形態に係る圧縮可能なディスペンサの斜視図である。
【発明を実施するための形態】
【００１５】
本発明においては、「上縁部」は、弾性的に圧縮可能な本体の底部、カバーの底部、蓋の底部、又は、この発明に係るディスペンサを備え得る他の要素の底部から、最も離れた縁を意味する。
【００１６】
「連続して凸状の形状」は、外部の参照点から、すなわちこの発明に係るディスペンサの外側から、丸みがあるようにみえる形状を意味する。
【００１７】
図１から３に示すこの発明に係る、クリームなどの化粧用液状製品タイプの、液状製品の圧縮可能なディスペンサ１００は、弾性的に圧縮可能なフレキシブルな本体１０１と、壁１２１を伴う蓋１０２と、弾性的に圧縮可能な本体１０１に包含される液状製品Ｐを分注する分注デバイス１１４とを備える。
【００１８】
ディスペンサ１００は、弾性的に圧縮可能な本体１０１に蓋１０２を取り付けているときに、連続して凸状の形状を有する（図１及び２）。蓋１０２と弾性的に圧縮可能な本体１０１とが、互いに相補的に、前記連続して凸状の形状である部分となる。蓋１０２の壁１２１及び弾性的に圧縮可能な本体１０１の壁１０１ａの各外面Ｓ１及びＳ２は、その上縁部１０４、１０５において面一である。
【００１９】
図１から３に関連して記載する実施形態においては、蓋１０２を備えたディスペンサ１００は、丸石形状を想起させる扁平な楕円体形の形状である。しかしながら、卵形（図５）など、連続して凸状の他の形状がこの発明の範囲内であるとみなされる。
【００２０】
さらに、図１から５に関連して記載する実施形態においては、蓋１０２及び弾性的に圧縮可能な本体１０１の上縁部１０４、１０５は、ディスペンサ１００の長手方向軸Ａｘに対して垂直である面内に含まれる。しかしながら、図６に関連して示すものなどであるこの発明の変形例としては、蓋１０２及び弾性的に圧縮可能な本体１０１の各上縁部は、任意の形状をとることができる。しかしながら、こうした変形例において、ディスペンサ１００の連続して凸状の形状は維持されるものである。
【００２１】
有利に、ディスペンサ１００は、前記ディスペンサを大人の掌で把握することが可能であるような寸法を有する。例えば図２に関連して記載する実施形態においては、前記ディスペンサは、全高Ｈが、７５から１００ｍｍであり、好ましくは８０から９０ｍｍである。弾性的に圧縮可能な本体１０１の高さｈ１は、５５から７５ｍｍであり、好ましくは６０から７０ｍｍであって、蓋１０２の高さｈ２は、１５から２５ｍｍであり、好ましくは２０から２５ｍｍである。上から見た場合では（図４）、楕円状のディスペンサ１００の長軸Ｇａは、５０から６５ｍｍであり、好ましくは６０から６５ｍｍであり、短軸Ｐａは、３０から４５ｍｍであり、好ましくは３５から４０ｍｍである。長軸の面Ｇａである平面で見た場合では（図１の平面）、ディスペンサの輪郭は、曲率半径が、ディスペンサの基部での値約３０ｍｍから、長軸Ｇａの高さに至るまで値約６０ｍｍに増加し、その後、値約１００ｍｍから蓋の先端での値約２０ｍｍに減少するものである、連続する円弧によって形成される。短軸の面Ｐａである垂直面で見た場合では、曲率半径が、値約１６ｍｍから短軸Ｐａの高さに至るまで値約７５ｍｍに増加し、その後、値約９５ｍｍから蓋の先端での値約９ｍｍに減少するものである。しかしながら、これら値は、単なる提示である。
【００２２】
蓋１０２を備えたディスペンサ１００は、目に見える又は実体のある縁を有さず、縁又は枠を有さず、かつ、突出する面を有さない。前記ディスペンサは、片方の手、特に大人の手の掌で把握される。手指のわずかな湾曲により、前記ディスペンサが手中にしっかりと把握されることを確実にする。ディスペンサ１００の外面は、掌に対して完全に滑らかであり、それが把握時におけるその回転をより容易にさせている。その使用、特に弾性的に圧縮可能な本体１０１を圧縮する際の使用が、より容易である。
【００２３】
蓋１０２の壁１２１及び弾性的に圧縮可能な本体１０１の壁１０１ａの各外面Ｓ１及びＳ２が面一であることにより、例えば粗い面に対して又は他の物体と摩擦したときに、本体１０１から不意に蓋１０２が外れることを防止することも可能になる。
【００２４】
好ましくは、弾性的に圧縮可能な本体１０１の上縁部１０５及び蓋１０２の上縁部１０４は、弾性的に圧縮可能な本体１０１に蓋１０２を取り付けているときに、互いに接触している。
【００２５】
図３に関連して示すように、ディスペンサ１００の蓋１０２は、完全に取り外すことができ、それによって分注デバイス１１４を覆うために設けられたカバー１０６が現れる。前記カバーは、蓋１０２の形状と一致する形状を有するが、図１の二重矢印で示す、蓋１０２の壁１２１の厚さＥｐ分だけ実質的に薄い。したがって、蓋１０２を取り外しているとき、ディスペンサ１００は、その連続して凸状の形状を全体として維持している。
【００２６】
分注デバイス１１４を覆うカバー１０６は、公知のスナップ嵌合手段１０９によって、弾性的に圧縮可能な本体１０１上に存在するスロート部１０７の領域内に装着される。カバー１０６は、分注デバイス１１４の出口１１１と連通する開口１１０を有する。該口１１０及び１１１が、液状製品Ｐの分注を可能にする。カバー１０６の表面は、分注デバイス１１４の出口１１１と面一である（図３）。
【００２７】
カバー１０６及び弾性的に圧縮可能な本体１０１の各外面は、面一でない。カバー１０６の外面Ｓ３は、弾性的に圧縮可能な本体１０１の外面Ｓ２よりも後退させており、それによってスロート部１０７の領域内に肩部１１２が形成される。有利に、肩部１１２は、蓋１０２の壁１２１の厚さＥｐに対して厳密に相補的である寸法を有することとなる。
【００２８】
カバーが、本体１０１との連続した形状を確実にする。該カバーは、分注デバイス１１４が収納される本体上部の体積を画成し、その先端と、上記口１１０及び１１１が面一である。このことは、以下により詳細に説明することとする。したがって、本体及びカバーは、それほど広くない上部リム１０５の他には、突出する凹凸を有さず、鋭利な縁を有さない。その連続して凸状の形状のために、カバーが、ディスペンサを移動させながら、かつ、皮膚の表面上でカバーを滑らせながら製品を分注することを可能にする。既存のディスペンサでは、より局所的に製品を塗布することとなる。
【００２９】
図１に関連して示す実施形態においては、ディスペンサ１００は、弾性的に圧縮可能な本体１０１の内側に配置され、かつ、分注される液状製品Ｐを包含する、フレキシブルなパウチ１１３を備える。
【００３０】
弾性的に圧縮可能な本体１０１は、人手による圧力で変形することを意図している。前記弾性的に圧縮可能な本体は、弾性的に変形可能な材料より製造されて、その壁１０１ａは、圧力が途絶えたときにその初期形状に復帰するのに十分に弾性的であるとき、圧縮され得るものである。したがって、弾性的に圧縮可能な本体１０１は、ゴム、エラストマー又は熱可塑性樹脂材料より製造される。平らな状態に置いたディスペンサのその側面に対する測定で、６０から８０ショアＡの硬度をもつポリプロピレン類の材料より製造された本体で、良好な結果が得られた。しかしながら、これらの値は単なる提示である。
【００３１】
分注デバイス１１４は、例えばスナップ嵌合又は結合による封止装着によって、弾性的に変形可能な本体１０１のスロート部１０７に装着される。分注デバイス１１４は、液体を、パウチ１１３内側から出口１１１に至るまで循環させることができる。前記分注デバイスはプランジャーチューブの形態であり、その一端が、フレキシブルなパウチ１１３の底部の方に延びて、フレキシブルなパウチ１１３の内部と連通する開口１１５を有する。その他端には、結合又は溶着によってノズル１２３を装着しており、出口１１１を形成するスリット１２４が設けられている。スリット１２４は、この場合、分注デバイス１１４の内部から外部への一方向に液体を通過させることを可能にする。
【００３２】
液状製品Ｐを包含するフレキシブルなパウチ１１３は、例えば溶着によって、分注デバイス１１４上に存在するネック部１２２に装着される。
【００３３】
内部に包含した製品が該パウチからなくなると、弾性的に圧縮可能な本体１０１及びフレキシブルなパウチ１１３間の空間Ｅは、空気で満たされる。
【００３４】
弾性的に変形可能な本体１０１のスロート部１０７には、弾性的に圧縮可能な本体１０１及びフレキシブルなパウチ１１３間に含まれる空間Ｅに空気を取り入れることを可能にする１つ又は複数の孔１２５が貫通している。使用者が、前記弾性的に変形可能な本体１０１に人手により圧力を加えるとき、各孔１２５は、シャッターとして機能することによって対応の出口を閉鎖するのに好適である変形可能なワッシャー１２６と対向している。ワッシャー１２６は、空間Ｅに面するスロート部１０７の壁に配置される。
【００３５】
ディスペンサ１００の使用中、弾性的に圧縮可能な本体１０１に対して人手により加わった圧力が、液状製品Ｐを包含するフレキシブルなパウチ１１３に伝わる。その後前記製品が分注デバイス１１４に流れ込み、それがノズル１２３のスリット１２４を開き、出口１１１を通じて製品Ｐを射出させる。スリット１２４を通ってフレキシブルなパウチ１１３に空気が取り込まれることはない。この特徴により、液状製品の剤形の安定性及び保存性を保証する。弾性的に圧縮可能な本体１０１に加わった圧縮はまた、孔１２５に対する変形可能なワッシャー１２６が平らになり、孔１２５を通じて空気が空間Ｅから脱出することを防止する効果を有する。
【００３６】
弾性的に圧縮可能な本体１０１の壁１０１ａに人手により加わる圧力が途絶えると、本体が弛緩し、ノズル１２３のスリット１２４が閉鎖し、かつ、変形可能なワッシャー１２６が、もはや孔１２５を封止するように変形する。孔１２５を通じて、弾性的に圧縮可能な本体１０１及びフレキシブルなパウチ１１３間の空間Ｅに空気が取り込まれる。それにより、その後、空間Ｅに取り込んだ空気の体積が、フレキシブルなパウチ１１３から射出された製品の体積を補う。このように、弾性的に圧縮可能な本体１０１が、その初期形状に復帰する。
【００３７】
ディスペンサ１００を使用していない場合は、ディスペンサ１００の蓋１０２が、カバー１０６上に存在する出口１１０を封止する。弾性的に圧縮可能な本体１０１に対して不意に圧力が加わった場合であっても、蓋１０２が液状製品Ｐの脱出を防止する。
【００３８】
蓋１０２は、装着手段１１８により、弾性的に圧縮可能な本体１０１に着脱可能に取り付けられる。このように、蓋１０２は、弾性的に圧縮可能な本体１０１から完全に分離させることが可能である。
【００３９】
弾性的に圧縮可能な本体１０１への蓋１０２の取り付けを確実にすることを目的とする装着手段１１８は、例えばスナップ嵌合手段である。図１に示す実施形態においては、装着手段１１８は、蓋１０２の壁１２１の内周面上に存在する、舌片状部１２０などの起伏モチーフを収納するのに好適である、窪んだ収納部などである凹状モチーフ１１９をカバー１０６がその外面に有するようにしたものである。この発明の変形例においては、これらは、蓋１０２の壁１２１の内面上に存在する相補的な形状の凸部又は凸条を収納するのに好適である、カバー１０６の外面上に存在する溝であり得る。
【００４０】
したがって、この発明に係る圧縮可能なディスペンサ１００は、技術的特徴及び美的特徴の両方を有し、部品の組立を過剰に複雑にする必要なく、前記ディスペンサに信頼性と、簡便さを与える。
【図１】
2019507620.tif 000003
【図２】
2019507620.tif 000004
【図３】
2019507620.tif 000005
【図４】
2019507620.tif 000006
【図５】
2019507620.tif 000007
【図６】
2019507620.tif 000008
【国際調査報告】
2019507620.tif 000009
2019507620.tif 000010
2019507620.tif 000011
2019507620.tif 000012